(57)【要約】【課題】情報処理装置のキースイッチ部に、表面側または裏面側のいずれか一方の面を上に向けて装着することで、制御機能の異なるキー入力を可能とする。【解決手段】キーゴムが設けられたキーボード収納部に表面側または裏面側のいずれか一方の面を上に向けて装着することにより、制御機能の異なるキー入力を行うことのできるリバーシブルキーボード５であって、撓みによりキー入力を行う表面側キーシート部５１ａ及び裏面側キーシート部５１ｂと、これらキーシート部５１ａ，５１ｂを上下に重ね合わせた状態で収納保持するとともに、キーゴムに対向して開口部５３ａ，５３ｂが形成された表面側のキーキャビネット５２ａ及び裏面側のキーキャビネット５２ｂとからなり、表面側キーシート部５１ａを押し下げすることにより、裏面側キーシート部５１ｂが裏面側に撓み、対向するキーゴムのキースイッチ部を押し下げする。【選択図】　図５
2004118520.tif 000002
【特許請求の範囲】
【請求項１】
装置本体のキースイッチ部を有するキーボード収納部に表面側または裏面側のいずれか一方の面を上に向けて装着することにより、制御機能の異なるキー入力を行うことのできるリバーシブルキーボードであって、
撓みによりキー入力を行う第１キー手段及び第２キー手段と、これら第１キー手段及び第２キー手段を上下に重ね合わせた状態で収納保持するとともに、前記キースイッチ部に対向して開口部が形成されたキーキャビネットとからなり、
前記第１キー手段を前記開口部の表面側から押し下げすることにより、その開口部の第１キー手段及び第２キー手段が裏面側に撓み、かつ第２キー手段が開口部から裏面側に突出することにより、対向するキースイッチ部を押し下げすることを特徴とするリバーシブルキーボード。
【請求項２】
前記第１キー手段及び第２キー手段には、前記開口部に凸部が形成されていることを特徴とする請求項１に記載のリバーシブルキーボード。
【請求項３】
前記第１キー手段及び第２キー手段が一体的に形成されていることを特徴とする請求項１に記載のリバーシブルキーボード。
【請求項４】
前記第１キー手段及び第２キー手段は、前記開口部に凸部が形成され、かつ一体的に形成されていることを特徴とする請求項１に記載のリバーシブルキーボード。
【請求項５】
装置本体のキースイッチ部を有するキーボード収納部に表面側または裏面側のいずれか一方の面を上に向けて装着することにより、制御機能の異なるキー入力を行うことのできるリバーシブルキーボードと、前記キーボード収納部に装着されたリバーシブルキーボードの装着面側方向に応じてキー入力による制御機能を手動で切り替えるキー入力切替手段とを備えたことを特徴とする情報処理装置。
【請求項６】
装置本体のキースイッチ部を有するキーボード収納部に表面側または裏面側のいずれか一方の面を上に向けて装着することにより、制御機能の異なるキー入力を行うことのできるリバーシブルキーボードを有する情報処理装置であって、
前記キーボード収納部に装着された前記リバーシブルキーボードをロックするロック機構部と、このロック機構部によりロックが解除されると前記リバーシブルキーボードを前記キーボード収納部から押し上げる押上手段と、前記リバーシブルキーボードの前記キーボード収納部への装着の有無を検出する第１検出手段とを備え、
前記第１検出手段は、前記押上手段による前記リバーシブルキーボードの押し上げ動作に連動してリバーシブルキーボードの装着の有無を検出することを特徴とする情報処理装置。
【請求項７】
装置本体のキースイッチ部を有するキーボード収納部に表面側または裏面側のいずれか一方の面を上に向けて装着することにより、制御機能の異なるキー入力を行うことのできるリバーシブルキーボードを有する情報処理装置であって、
前記キーボード収納部に装着された前記リバーシブルキーボードをロックするロック機構部と、このロック機構部により前記リバーシブルキーボードが前記キーボード収納部にロックされている状態で、前記リバーシブルキーボードのがたつきを防止する拘止手段とを備えたことを特徴とする情報処理装置。
【請求項８】
装置本体のキースイッチ部を有するキーボード収納部に表面側または裏面側のいずれか一方の面を上に向けて装着することにより、制御機能の異なるキー入力を行うことのできるリバーシブルキーボードを有する情報処理装置であって、
前記キーボード収納部に装着された前記リバーシブルキーボードをロックするロック機構部と、このロック機構部によりロックが解除されると前記リバーシブルキーボードを前記キーボード収納部から押し上げる押上手段とを備え、
前記押上手段は、前記ロック機構部により前記リバーシブルキーボードが前記キーボード収納部にロックされている状態で、前記リバーシブルキーボードのがたつきを防止する拘止手段を兼ねることを特徴とする情報処理装置。
【請求項９】
装置本体のキースイッチ部を有するキーボード収納部に表面側または裏面側のいずれか一方の面を上に向けて装着することにより、制御機能の異なるキー入力を行うことのできるリバーシブルキーボードを有する情報処理装置であって、
前記装置本体の側面に形成され、前記リバーシブルキーボードを前記キーボード収納部に挿入するためのキーボード挿入口と、
前記キーボード収納部の上部に配置され、前記キーボード挿入口からキーボード収納部に挿入されたリバーシブルキーボードと連動してキー入力を行う透明タッチパネルと、
前記リバーシブルキーボードの装着方向を検出する第２検出手段と、
この第２検出手段の検出結果に基づき、前記透明タッチパネルの制御機能を切り替える透明タッチパネル入力制御手段とを備えたことを特徴とする情報処理装置。
【発明の詳細な説明】
【０００１】
【発明の属する技術分野】
本発明は、着脱可能なキーユニットの表面と裏面とを使い分けることにより、機能を拡張することを可能としたリバーシブルキーボード及びこのリバーシブルキーボードを備えた情報処理装置に関する。
【０００２】
【従来の技術】
従来より、キーボードの両面にキートップ部を設け、キーボードの上下を入れ換えて装置本体に装着することにより、キー機能の拡張を図った情報処理装置が提案されている。
【０００３】
しかしながら、このような情報処理装置は、キーボードの内部に基板等の電気的構成を備える必要があるため、キーボード自体が回路的に複雑、かつ大型化し、コスト的にも安価に提供できないといった問題があった。
【０００４】
一方、このような基板等の電気的構成を備えることなく、キースイッチ部とキートップ部とを分離する構造のものも提案されている（例えば、特許文献１、特許文献２、特許文献３、特許文献４参照）。
【０００５】
特許文献１に記載のものは、ワイヤレスリモコンであって、複数の扉のうちから自分が最も頻繁に使用すると思われる機能の操作釦が付いている扉を選び出し、これを本体側のヒンジ部に取り付ける。そして、この扉を閉めると、扉の裏面に設けられている凸部が、操作面上の複数の押圧スイッチのいずれかを押し付け、この押圧スイッチのスイッチ状態の変化の検出により、扉が閉じられた状態になったことを判別する。この状態で利用者が扉表面の操作釦を押すと、その真下に位置する本体の操作面上の操作釦が押されるが、このとき制御回路は、本体操作面側に表示されている機能ではなく、扉表面側に表示されている機能について制御を行う構成となっている。
【０００６】
また、特許文献２に記載のものは、人体局部洗浄装置であって、便座の側方に袖部が配設されており、この袖部に操作装置が配設されている。この操作装置は、操作スイッチと操作スイッチを覆う着脱可能な蓋とからなり、蓋表面に押釦が配設され、押釦の押圧操作に機械的に連動して操作スイッチが押圧される構成となっている。
【０００７】
また、特許文献３に記載のものは、携帯用電子機器であって、操作スイッチを有する機器本体と、操作スイッチを押圧する操作ボタンを有し、機器本体に回動自在に装着される操作パネルとを備え、操作パネルを機器本体から着脱自在にするとともに、別の操作パネルと取り替え可能とする。そして、複数種類の操作パネルを用意しておき、操作ボタンの形状等が異なる操作パネルを選択して機器本体に装着することで、利用者の嗜好を満足させるとともに、操作性の向上を図っている。
【０００８】
また、特許文献４に記載のものは、キートップを分割して嵌合させる構造に関するものであるが、２分割したキートップの上部キートップだけを差し替えるもので、下部キートップはキースイッチを押圧するだけの機能を有するものである。
【０００９】
【特許文献１】
特開平６−１８９３８３号公報
【特許文献２】
特開２０００−８７４１５号公報
【特許文献３】
特開２０００−２６７７９５号公報
【特許文献４】
実開平２−１２８２１号公報
【００１０】
【発明が解決しようとする課題】
上記特許文献１〜３に記載の従来技術は、いずれも操作パネルの差し替えを前提に創案されたものであり、操作パネル単体としては１種類のみである。また、操作パネルの裏面を別の操作パネルとして利用するといった発想も全くない。
【００１１】
また、上記特許文献４に記載の従来技術は、上部キートップだけを差し替えるものであり、キートップの上部と下部、あるいは表面と裏面の両方を操作パネルとして利用するといった発想は全くない。
【００１２】
本発明はかかる点に着目して創案されたもので、その目的は、情報処理装置のキースイッチ部に、表面側または裏面側のいずれか一方の面を上に向けて装着することにより、制御機能の異なるキー入力を行うことのできるリバーシブルキーボード及びこのリバーシブルキーボードを備えた情報処理装置を提供することにある。
【００１３】
【課題を解決するための手段】
本発明のリバーシブルキーボードは、装置本体のキースイッチ部を有するキーボード収納部に表面側または裏面側のいずれか一方の面を上に向けて装着することにより、制御機能の異なるキー入力を行うことのできるリバーシブルキーボードであって、撓みによりキー入力を行う第１キー手段及び第２キー手段と、これら第１キー手段及び第２キー手段を上下に重ね合わせた状態で収納保持するとともに、前記キースイッチ部に対向して開口部が形成されたキーキャビネットとからなり、前記第１キー手段を前記開口部の表面側から押し下げすることにより、その開口部の第１キー手段及び第２キー手段が裏面側に撓み、かつ第２キー手段が開口部から裏面側に突出することにより、対向するキースイッチ部を押し下げすることを特徴としている。
【００１４】
このような特徴を有する本発明によれば、内部に電気的な構成を持たない簡単な構造によって、表裏両面に異なるキー機能を搭載したリバーシブルキーボードを実現することができる。また、構造が簡易であるため、小型軽量化、製造原価の低減を図ることができる。また、シート状の形状であれば、薄くすることができる。
【００１５】
この場合、前記第１キー手段及び第２キー手段には、前記開口部に凸部を形成してもよい。凸部を設けることで、指によるタッチがし易くなり、操作性が向上する。
【００１６】
また、前記第１キー手段及び第２キー手段を一体的に形成してもよい。一体に形成することにより、第１キー手段を押し下げて撓ましたとき、第２キー手段も一体となって撓むので、キー操作を行うときの上下のずれを無くすことができる。
【００１７】
本発明の情報処理装置は、装置本体のキースイッチ部を有するキーボード収納部に表面側または裏面側のいずれか一方の面を上に向けて装着することにより、制御機能の異なるキー入力を行うことのできるリバーシブルキーボードと、前記キーボード収納部に装着されたリバーシブルキーボードの装着面側方向に応じてキー入力による制御機能を手動で切り替えるキー入力切替手段とを備えたことを特徴としている。
【００１８】
このような特徴を有する本発明によれば、操作者の目でリバーシブルキーボードの装着方向を確認して、キー入力切替手段を切り替えればよいので、キー入力による制御機能を確実に切り替えることができる。
【００１９】
また、本発明の情報処理装置は、装置本体のキースイッチ部を有するキーボード収納部に表面側または裏面側のいずれか一方の面を上に向けて装着することにより、制御機能の異なるキー入力を行うことのできるリバーシブルキーボードを有する情報処理装置であって、前記キーボード収納部に装着された前記リバーシブルキーボードをロックするロック機構部と、このロック機構部によりロックが解除されると前記リバーシブルキーボードを前記キーボード収納部から押し上げる押上手段と、前記リバーシブルキーボードの前記キーボード収納部への装着の有無を検出する第１検出手段とを備え、前記第１検出手段は、前記押上手段による前記リバーシブルキーボードの押し上げ動作に連動してリバーシブルキーボードの装着の有無を検出することを特徴としている。
【００２０】
このような特徴を有する本発明によれば、押上手段と第１検出手段とを一体化することができるので、装置の小型化が可能となる。
【００２１】
また、本発明の情報処理装置は、装置本体のキースイッチ部を有するキーボード収納部に表面側または裏面側のいずれか一方の面を上に向けて装着することにより、制御機能の異なるキー入力を行うことのできるリバーシブルキーボードを有する情報処理装置であって、前記キーボード収納部に装着された前記リバーシブルキーボードをロックするロック機構部と、このロック機構部により前記リバーシブルキーボードが前記キーボード収納部にロックされている状態で、前記リバーシブルキーボードのがたつきを防止する拘止手段とを備えたことを特徴としている。
【００２２】
このような特徴を有する本発明によれば、キーボード収納部に装着されたリバーシブルキーボードのがたつきを確実に防止することができる。
【００２３】
この場合、押上手段によって拘止手段を兼ねる構成としてもよい。このように、押上手段によって拘止手段を兼ねることにより、装置の小型化が可能となる。
【００２４】
また、本発明の情報処理装置は、装置本体のキースイッチ部を有するキーボード収納部に表面側または裏面側のいずれか一方の面を上に向けて装着することにより、制御機能の異なるキー入力を行うことのできるリバーシブルキーボードを有する情報処理装置であって、前記装置本体の側面に形成され、前記リバーシブルキーボードを前記キーボード収納部に挿入するためのキーボード挿入口と、前記キーボード収納部の上部に配置され、前記キーボード挿入口からキーボード収納部に挿入されたリバーシブルキーボードと連動してキー入力を行う透明タッチパネルと、前記リバーシブルキーボードの装着方向を検出する第２検出手段と、この第２検出手段の検出結果に基づき、前記透明タッチパネルの制御機能を切り替える透明タッチパネル入力制御手段とを備えたことを特徴としている。
【００２５】
このような特徴を有する本発明によれば、透明タッチパネルを利用することで、リバーシブルキーボードを構成する部材を板状にすることができ、最も簡単な構造の、かつ安価なリバーシブルキーボードを提供することができる。
【００２６】
【発明の実施の形態】
以下、本発明の実施の形態について、図面を参照して説明する。
【００２７】
［実施の形態１］
図１ないし図３は、本発明に係わるリバーシブルキーボードを備えた情報処理装置の実施の形態１を示しており、図１はリバーシブルキーボードを取り外した状態の情報処理装置の外観斜視図、図２はリバーシブルキーボードを装着した状態の情報処理装置の外観斜視図、図３はリバーシブルキーボードを取り外した状態の平面図である。本実施の形態１では、情報処理装置としてグラフィック関数電卓に適用した例を示している。ただし、図１及び図３には、取り外した状態のリバーシブルキーボードが、表面側を上に向けた状態と、裏面側を上に向けた状態の２つの状態で示されている。
【００２８】
装置本体１の上面には、その上部に液晶パネル等からなる表示部２が設けられており、その下部にキー入力部３が設けられている。
【００２９】
キー入力部３は、装置本体１の上面に固定的に配置された関数キー３１及びカーソルキー３２と、キーボード部分を取り除いた状態のキーゴム（請求項１に記載のキースイッチ部）３３とからなる。また、装置本体１の上面には、リバーシブルキーボード５を表面側または裏面側を上に向けて装着した後、リバーシブルキーボード５の装着方向に対応してキー入力の制御機能を切り替えるための切替スイッチ３４が設けられている。この切替スイッチ３４は、本実施の形態１ではスライドスイッチとなっているが、スライドスイッチに限定されるものではなく、キースイッチ等、種々の形態のスイッチが使用可能である。
【００３０】
キーゴム３３は、装置本体１の上面に矩形状に形成されたキーボード装着用凹部（請求項１に記載のキーボード収納部）１１の底面に配置されており、このキーボード装着用凹部１１に装着されるリバーシブルキーボード５と連携して動作する。すなわち、リバーシブルキーボード５は、キーゴム３３の上に重ね合わせて装着される（図２参照）。
【００３１】
図４は、図３に示す装置本体１のＡ−Ａ線概略断面図である。
【００３２】
キーゴム３３は、装置本体１の上キャビネット１ａに設けられており、その下面には、各キー位置に導電部３３ａが設けられている。また、キーゴム３３の下部には、そのキー位置に対向してキーパターン２１ａが形成されたキー基板２１が設けられており、このキー基板２１の下部に、下キャビネット１ｂと一体に形成された左右一対の電池収納部２２，２２が設けられている。また、電池収納部２２，２２を被覆するための電池蓋２３が、下キャビネット１ｂに着脱可能に取り付けられるようになっている。
【００３３】
拘止ゴム９０は、キーボード装着用凹部１１の底面、すなわちキーゴム３３の上面の６箇所に設けられており、ゴム等のクッション性のある材料を用いて形成されている。この拘止ゴム９０は、キーボード装着用凹部１１に装着されたリバーシブルキーボード５の下面を受け止めるため、コーゴム３３の上面より若干突出して設けられている。これにより、キーボード装着用凹部１１に装着されたリバーシブルキーボード５が後述するロック機構部６によってロックされると、リバーシブルキーボード５によって拘止ゴム９０が若干押しつぶされた状態となる。すなわち、この押しつぶされた拘止ゴム９０の弾性復元力による上方への若干の押し上げ力によって、リバーシブルキーボード５のがたつきを防止している。
【００３４】
図５は、図３に示すリバーシブルキーボード５のＢ−Ｂ線概略断面図である。
【００３５】
リバーシブルキーボード５は、キーゴム３３を押し下げする表面側のキーシート部５１ａ，５１ａ・・・及び裏面側のキーシート部５１ｂ，５１ｂ・・・と、表面側のキーシート部５１ａ，５１ａ・・・をそれぞれ収納保持する表面側の開口部５３ａ，５３ａ・・・を有する表面側のキーキャビネット５２ａ及び裏面側のキーシート部５１ｂ，５１ｂ・・・をそれぞれ収納保持する裏面側の開口部５３ｂ，５３ｂ・・・を有する裏面側のキーキャビネット５２ｂとからなる。
【００３６】
そして、表面側のキーキャビネット５２ａの開口部５３ａに表面側のキーシート部５１ａを挿入し、裏面側のキーキャビネット５２ｂの開口部５３ｂに裏面側のキーシート部５１ｂを挿入して、両キーキャビネット５２ａ，５２ｂを接合することにより、対向するキーシート部５１ａ，５１ｂが、両キーキャビネット５２ａ，５２ｂ内に収納保持されている。
【００３７】
また、キーキャビネット５２ａ，５２ｂは、その内面側であって、開口部５３ａ，５３ｂの周辺部に、リブ片５５が突設されている。このリブ片５５が一方のキーキャビネット５２ａから突設されている場合には、他方のキーキャビネット５２ｂの対向部分に凹部５６が形成されており、両キーキャビネット５２ａ，５２ｂを接合したときには、リブ片５５の先端が対向する凹部５６に嵌まり込み、両キーキャビネット５２ａ，５２ｂが安定的に接合されるようになっている。
【００３８】
このような構成のリバーシブルキーボード５の後端面５ｂには、ロック用凹部５９が設けられている。
【００３９】
図６ないし図８は、ロック機構部６の構造を示しており、図６はキーボード装着用凹部１１を一部拡大した平面図、図７は装置本体の側面図、図８（ａ），（ｂ）は図６のＣ−Ｃ線概略断面図である。
【００４０】
ロック機構部６は、装置本体１のキーボード装着用凹部１１の下部であって、電池収納部２２，２２の間、及び各電池収納部２２，２２と左右の本体側面１９，１９との間の３箇所にそれぞれロック本体部６１が設けられており、これらロック本体部６１は、連結バー６１１によって一体的に連結されている。
【００４１】
これらロック本体部６１は、左右の電池収納部２２，２２の間及び各電池収納部２２，２２と本体側壁部との間に挟持される形で、前後方向（図８中、Ｘ１，Ｘ２方向）に摺動可能に設けられている。そして、このロック本体部６１の後部側上面６１ａに、上方に起立した一対のロック用爪６２，６２が形成されている。
【００４２】
また、ロック本体部６１の後端面６１ｂには、スプリング用凹部６３，６３，６３が形成されており、このスプリング用凹部６３，６３，６３と対向する装置本体１の上キャビネット１ａにも、同様にスプリング用凹部１ａ１，１ａ１，１ａ１が形成されている。そして、これらスプリング用凹部６３，１ａ１の間に、スプリング６５，６５，６５が装着されている。
【００４３】
また、左右両側のロック本体部６１，６１の両外側面６１ｃ，６１ｃには、それぞれ外側方（両左右方向）に突出したロック解除用ノブ６４，６４が形成されている。ロック解除用ノブ６４，６４は、図７に示すように、本体側面１９に形成された長方形状の長穴１９ａに嵌め込まれた状態で本体側面１９から左右側方に露出しており、この長穴１９ａ内で、前後方向（Ｘ１，Ｘ２方向）に摺動可能となっている。つまり、この長穴１９ａによって、前後方向の摺動範囲が規制されるようになっている。ただし、ロック解除用ノブ６４は、本体側面１９からあまり突出しないように設けられており、キーボードの操作中に、指等が不測に当たってロックが解除されることのないように考慮されている。
【００４４】
このような構成のロック機構部６によれば、リバーシブルキーボード５が装着されていない状態では、図８（ａ）に示すように、スプリング６５，６５，６５の弾発力によってロック本体部６１がＸ２方向に付勢されており、ロック解除用ノブ６４，６４が、長穴１９ａの前方側端部１９ａ１，１９ａ１に当接している。また、ロック用爪６２，６２は、キーボード装着用凹部１１の後端面１１ｂから若干突出した状態となっている。
【００４５】
なお、リバーシブルキーボード５がキーボード装着用凹部１１に装着された状態においても、図１５に示すように、ロック解除用ノブ６４の位置は、リバーシブルキーボード５が装着されていない状態と同じ位置となる。
【００４６】
一方、この状態で、本体側面１９から露出しているロック解除用ノブ６４，６４を、スプリング６５，６５，６５の弾発力に対抗して後方側（Ｘ１方向）に摺動させると、図８（ｂ）に示すように、キーボード装着用凹部１１の後端面１１ｂから若干突出していたロック用爪６２，６２が、キーボード装着用凹部１１の後端面１１ｂより、上キャビネット１ａ内に退没する。
【００４７】
図９及び図１０は、ポップアップ機構部８の構造を示しており、図９はキーボード装着用凹部１１を一部拡大した平面図、図１０（ａ），（ｂ）は、図９のＤ−Ｄ線概略断面図である。
【００４８】
ポップアップ機構部８は、装置本体１のキーボード装着用凹部１１のほぼ中央部に設けられている。
【００４９】
図１０に示すように、ポップアップ機構部８は、ポップアップ本体部８１を備えており、その中央部に、鍔状に形成された当止片８２が形成されている。そして、この当止片８２より上部のポップアップ本体部８１が、リバーシブルキーボード５を押し上げる押上片８３となっており、当止片８２より下部のポップアップ本体部８１が、スプリング用突起片８４となっている。
【００５０】
また、ポップアップ機構部８の押上片８３と対向するキーボード装着用凹部１１には、押上片８３が挿通可能な貫通孔１１ｇが形成されている。
【００５１】
また、ポップアップ機構部８のスプリング用突起片８４と対向する下キャビネット１ｂには、スプリング８５を上端面で受け止めるスプリング用受け部１ｂ３が形成されており、このスプリング用受け部１ｂ３の上端面に、ポップアップ機構部８のスプリング用突起片８４を上下摺動可能（図１０中、Ｙ１及びＹ２方向）に挿入して保持する摺動凹部１ｂ４が形成されている。
【００５２】
すなわち、ポップアップ機構部８は、キーボード装着用凹部１１の貫通孔１１ｇに押上片８３を挿通し、スプリング８５を嵌合したスプリング用突起片８４をスプリング用受け部１ｂ３の摺動凹部１ｂ４に挿通することで、装置本体１に取り付けられている。
【００５３】
この状態において、スプリング８５は、ポップアップ本体部８１の当止片８２とスプリング用受け部１ｂ３の上端面とで挟持され、その弾発力によってポップアップ本体部８１を上方（図１０中Ｙ１方向）に押し上げている。一方、ポップアップ本体部８１は、スプリング８５の弾発力によって上方に押し上げられるが、当止片８２がキーボード装着用凹部１１の裏面側に当接することで、上方への移動が制限されるようになっており、かつ、装置本体１からの脱落も防止されている。
【００５４】
このような構成のポップアップ機構部８によれば、リバーシブルキーボード５が装着されていない状態では、図１０（ａ）に示すように、スプリング８５の弾発力によってポップアップ本体部８１がＹ１方向に付勢されており、押上片８３はキーボード装着用凹部１１の貫通孔１１ｇから上方に突出している。
【００５５】
一方、この状態で、キーボード装着用凹部１１にリバーシブルキーボード５が完全に装着されると、リバーシブルキーボード５の表面側のキーキャビネット５２ａまたは裏面側のキーキャビネット５２ｂが、スプリング８５の弾発力に対抗してポップアップ本体部８１の押上片８３を下方側（Ｙ２方向）に摺動させる。これにより、ポップアップ本体部８１は、図１０（ｂ）に示すように、押上片８３がキーゴム３３とほぼ同じ高さまで押し込まれるとともに、スプリング用突起片８４がスプリング用受け部１ｂ３の摺動凹部１ｂ４内に深く押し込まれ、スプリング８５がさらに圧縮されることになる。
【００５６】
また、鍔状に形成された当止片８２には、その一側方に延出して検出用突起部８６が形成されており、この検出用突起部８６の下端部８６ａに対向する下キャビネット１ｂ上に、リバーシブルキーボード５の装着の有無を検出するための第１検出スイッチ１５が設けられている。
【００５７】
そして、リバーシブルキーボード５がキーボード装着用凹部１１に装着されていない状態では、図１０（ａ）に示すように、スプリング８５の弾発力によってポップアップ本体部８１がＹ１方向に付勢されており、これに伴って検出用突起部８６もＹ１方向に移動しているため、第１検出スイッチ１５はオフ状態となっている。
【００５８】
一方、この状態で、キーボード装着用凹部１１にリバーシブルキーボード５が完全に装着されると、リバーシブルキーボード５が、スプリング８５の弾発力に対抗してポップアップ本体部８１の押上片８３を下方側（Ｙ２方向）に摺動させ、これに伴って検出用突起部８６も下方側（Ｙ２方向）に移動するため、第１検出スイッチ１５はオン状態となる。すなわち、この第１検出スイッチ１５のオン、オフにより、リバーシブルキーボード５がキーボード装着用凹部１１に装着されたか否かを検出することができる。
【００５９】
図１１ないし図１５は、上記構成のリバーシブルキーボード５を、上記構成のキーボード装着用凹部１１に装着するときの動作を示している。
【００６０】
まず最初に、図１１に示すように、リバーシブルキーボード５と、キーボード装着用凹部１１との位置を合わせるとともに、リバーシブルキーボード５の前端面５ａをキーボード装着用凹部１１の前端面１１ａに位置合わせする。この段階では、ポップアップ機構部８の押上片８３は、キーボード装着用凹部１１のほぼ中央部に突出して露出している状態のままである。
【００６１】
次に、この状態で、リバーシブルキーボード５の後端面５ｂ側をキーボード装着用凹部１１の後端面１１ｂ側に押し込む。
【００６２】
これにより、図１３に示すように、リバーシブルキーボード５の後端面５ｂがキーボード装着用凹部１１の後端面１１ｂに沿ってキーボード装着用凹部１１内に挿入され、その挿入過程で、リバーシブルキーボード５の後端面５ｂの角部が、ロック用爪６２を押圧して、ロック用爪６２を後方側（Ｘ１方向）に押し込み、ロック本体部６１全体が、後方側（Ｘ１方向）に摺動する。また、このようなリバーシブルキーボード５の挿入過程で、リバーシブルキーボード５の表面側のキーキャビネット５２ａまたは裏面側のキーキャビネット５２ｂが、ポップアップ本体部８１の押上片８３を押圧して、押上片を下方側（Ｙ２方向）に押し込み、ポップアップ本体部８１全体が、下方側（Ｙ２方向）に徐々に押し込まれていく。
【００６３】
そして、図１４に示すように、リバーシブルキーボード５がキーボード装着用凹部１１内に完全に嵌め込まれると、後方側に押し込まれていたロック用爪６２，６２が、スプリング６５，６５，６５の弾発力によって、リバーシブルキーボード５の後端面５ｂに形成されたロック用凹部５９に嵌まり込む。これにより、キーボード装着用凹部１１に装着されたリバーシブルキーボード５を、キーボード装着用凹部１１内に固定することができる。このとき、拘止ゴム９０によって、装着されたリバーシブルキーボード５をキーボード装着用凹部１１内にがたつき無く拘止する。
【００６４】
また、この状態では、ポップアップ機構部８の押上片８３は、リバーシブルキーボード５によって完全に退没されており、これに伴って下降した検出用突起部８６により第１検出スイッチ１５がオンとなる。
【００６５】
図１５は、リバーシブルキーボード５がキーボード装着用凹部１１に装着されたときの、ロック用爪６２とロック用凹部５９との係合状態を拡大して示している。
【００６６】
このようにしてリバーシブルキーボード５の装着を完了すると、操作者は、リバーシブルキーボード５の装着方向に対応して切替スイッチ３４をスライドさせ、キー入力の制御機能を手動で切り替える。これにより、演算準備が完了する。
【００６７】
また、図１５は、キーボード装着用凹部１１に装着されたリバーシブルキーボード５の左側のキーシート部５１ａが、キー入力を行うために押し下げられた状態を示している。キーシート部５１ａを押し下げすると、キーシート部５１ａの撓みに伴って下側のキーシート部５１ｂも裏面側に撓み、開口部５３ｂから裏面側に突出する。これにより、導電部３３ａとキーパターン２１ａとが接触して導通し、スイッチが入っている状態となっている。すなわち、押し下げされている左側のキーシート部５１ａに表記されている機能が動作する。
【００６８】
次に、装置本体１のキーボード装着用凹部１１に装着されたリバーシブルキーボード５の表面側と裏面側とを入れ替え交換するときの動作について説明する。入れ替えるときの動作は、上記で説明したリバーシブルキーボード５をキーボード装着用凹部１１に装着するときの動作と逆の動作となる。
【００６９】
装置本体１のキーボード装着用凹部１１にリバーシブルキーボード５の表面側または裏面側を上に向けて装着し、キーシート部５１ａ（または５１ｂ）に表記されている演算機能を動作させているとき、途中で表面側または裏面側の反対側の演算機能が必要となった場合、まず、装置本体１の左右の側面１９に露出しているロック解除用ノブ６４，６４を、各スプリング６５，６５，６５の弾発力に対抗して後方側（Ｘ１方向）に摺動させると、図８（ｂ）に示すように、キーボード装着用凹部１１の後端面１１ｂから若干突出していたロック用爪６２が、キーボード装着用凹部１１の後端面１１ｂより、上キャビネット１ａ内に退没し、リバーシブルキーボード５の固定が解除される。
【００７０】
それと同時に、ポップアップ機構部８の押上片８３が、スプリング８５の弾発力によって上方（Ｙ１方向）に押し上げられ、リバーシブルキーボード５のキーキャビネット５２ａ（または５２ｂ）を押し上げる。これにより、リバーシブルキーボード５が強制的に浮き上がりポップアップされる。またこのとき、検出用突起部８６も上方に移動するため、オン状態であった第１検出スイッチ１５がオフ状態となる。
【００７１】
この後、リバーシブルキーボード５の表裏を入れ替えてキーボード装着用凹部１１との位置を合わせ直し、キーボード装着用凹部１１に装着する。これにより、第１検出スイッチ１５が再びオン状態となる。リバーシブルキーボード５の装着については、図１２ないし図１４を参照して説明した通りである。
【００７２】
図２８は、上記実施の形態１の情報処理装置の電気的構成を示すブロック図、及びリバーシブルキーボードの機能ブロック図である。
【００７３】
この情報処理装置は、キー入力制御手段であるＣＰＵ１００、キー入力部１０１、液晶パネル等からなる表示部１０２、リバーシブルキーボード５の装着状態を検出する検出手段１０３、ＲＯＭ１０４、ＲＡＭ１０５からなり、これらの回路ブロックが装置本体１に収納されている。
【００７４】
ＣＰＵ１００は、格納されているプログラムに基づいて、情報処理装置全体を制御する。
【００７５】
キー入力部１０１は、図１に示すように、固定部として設けられた関数キー３１及びカーソルキー３２と、キーボード装着用凹部１１の底面に設けられたキーゴム３３とから構成され、所定のキーを操作することにより、処理コマンドをＣＰＵ１００に入力する。
【００７６】
表示部１０２は、ＣＰＵ１００から伝えられる制御信号により、表示動作を実行する。
【００７７】
検出手段１０３は、上記したように、リバーシブルキーボード５の装着状態を検出する第１検出スイッチ１５と、装置本体１の上面に配置された切替スイッチ３４とで構成され、第１検出スイッチ１５のオン、オフ情報や切替スイッチ３４によるキー入力制御機能の切り替え情報をＣＰＵ１００に入力する。
【００７８】
ＲＯＭ１０４は、情報処理装置の動作に必要なプログラム及び固定データを格納するとともに、固定部の関数キー３１及びカーソルキー３２、リバーシブルキーボード５の表面側及び裏面側の各関数キーやテンキー等の各キー信号パターンを格納している。
【００７９】
ＲＡＭ１０５は、情報処理装置の処理に必要なデータを一時的に記憶するものであり、キーの操作により入力された処理コマンドを格納している。また、切替スイッチ３４による切り替え情報に基づき、現在のリバーシブルキーボード５の装着面のキー信号パターンもＲＯＭ１０４から転送されて格納される。
【００８０】
一方、リバーシブルキーボード５は、図３に示すように、表面側の関数キー５１１及びテンキー５１２と、裏面側の関数キー５１３及びテンキー５１４と、キーキャビネット５２ａ，５２ｂとからなる。
【００８１】
次に、上記構成の情報処理装置において、リバーシブルキーボードを装置本体に装着したときの実行処理、及びリバーシブルキーボードの表裏の入れ替えを行ったときの実行処理を、図２９に示すフローチャートを参照して説明する。
【００８２】
まず、リバーシブルキーボード５をキーボード装着用凹部１１に装着する（ステップＳ３１）。このときのリバーシブルキーボード５の装着は、図１１〜図１４の手順で行う。この後、図示は省略しているが、手動にて電源をオンにする（ステップＳ２）。これにより、ＲＯＭ１０４内に格納されているキーボード検出プログラムを起動する（ステップＳ３３）。
【００８３】
キーボード検出プログラムを起動すると、次に、第１検出スイッチ１５がオンであるかオフであるかを確認する（ステップＳ３４）。その結果、第１検出スイッチ１５がオンであれば、ＲＯＭ１０４内に格納されているキーボード装着方向検出プログラムを起動する（ステップＳ３５）。一方、第１検出スイッチ１５が装着忘れや装着ミスなどでオフであれば、ステップＳ３４からステップＳ３３に戻り、キーボード検出プログラムの起動から再度やり直すことになる。
【００８４】
キーボード装着方向検出プログラムを起動すると、次に、切替スイッチ３４の切り替え方向を確認する（ステップＳ３６）。その結果、切替スイッチ３４がリバーシブルキーボード５の表面側のキー入力を選択するように切り替えられている場合には、リバーシブルキーボード５がその表面側を上に向けて装着されていることになるので、表面側のキー信号パターンをＲＯＭ１０４から抽出する（ステップＳ３７）。一方、切替スイッチ３４がリバーシブルキーボード５の裏面側のキー入力を選択するように切り替えられている場合には、リバーシブルキーボード５がその裏面側を上に向けて装着されていることになるので、裏面側のキー信号パターンをＲＯＭ１０４から抽出する（ステップＳ３８）。
【００８５】
そして、ステップＳ３７またはステップＳ３８にて抽出したキー信号パターンをＲＡＭ１０５に転送し（ステップＳ３９）、リバーシブルキーボード５の装着状態に対応したキー信号パターンをＲＡＭ１０５に保存する（ステップＳ４０）。
【００８６】
この後、装着されたリバーシブルキーボード５のキー入力があれば（ステップＳ４１でＹＥＳと判断されれば）、ＲＡＭ１０５内に格納されているキー信号パターンのキー信号を出力し（ステップＳ４２）、出力されたキー信号の処理を実行し（ステップＳ４３）ステップＳ３４に戻る。
【００８７】
一方、リバーシブルキーボード５のキー入力がなければ（ステップＳ４１でＮＯと判断されれば）、ステップＳ４４にて手動による電源ＯＦＦの有無を確認する。そして、手動による電源ＯＦＦでなければステップＳ３４に戻り、手動により電源がＯＦＦされた場合には、電源をＯＦＦして（ステップＳ４５）、処理を終了する。
【００８８】
なお、このような処理動作中において、ステップＳ３３で起動したキーボード検出プログラム及びステップＳ３５で起動したキーボード装着方向検出プログラムは、電源オン時は常時起動し、第１検出スイッチ１５や切替スイッチ３４の動作を監視することにより、演算途中におけるリバーシブルキーボード５の装着の有無や装着方向の変化を常時監視する。そして、状態の変化があるたびに、その変化に応じ、装着されたキーボードの表面側及び裏面側の入れ替え交換によるキー信号パターンの切り替え制御等を継続して行うようになっている。
【００８９】
図１６は、図５にて説明したリバーシブルキーボード５のキーシート部５１ａ，５１ｂの他の実施例を示している。図１６に示すリバーシブルキーボード５は、キーキャビネット５２ａ，５２ｂの開口部５３ａ，５３ｂに位置するキーシート部５１ａ，５１ｂに、ゴム等で構成された凸部５１ａ１，５１ｂ１を設け、両キーキャビネット５２ａ，５２ｂから凸部５１ａ１，５１ｂ１がそれぞれ突出するようにしたものである。これにより、操作者の操作性が向上する。
【００９０】
図１７は、図５にて説明したリバーシブルキーボード５のキーシート部５１ａ，５１ｂのさらに他の実施例を示している。図１７に示すリバーシブルキーボード５は、それぞれ別体として形成されていたキーシート部５１ａ，５１ｂを、例えばゴム等により一体的に形成したものである。これにより、両キーシート部５１ａ，５１ｂが一体となって上下に撓むため、キー操作をするときのキーシート部５１ａ，５１ｂの上下のずれを無くすことができる。
【００９１】
図１８は、図５にて説明したリバーシブルキーボード５のキーシート部５１ａ，５１ｂのさらに他の実施例を示している。図１８に示すリバーシブルキーボード５は、図１７に示すように一体形成されたキーシート部５１ａ，５１ｂにおいて、キーキャビネット５２ａ，５２ｂの開口部５３ａ，５３ｂに位置する部分に凸部５１ａ１，５１ｂ１を設け、両キーキャビネット５２ａ，５２ｂから凸部５１ａ１，５１ｂ１がそれぞれ突出するようにしたものである。これにより、操作者の操作性がさらに向上する。
【００９２】
また、図１９ないし図２１は、図１１ないし図１５で説明した拘止手段の他の実施例を示している。図１１ないし図１５では、拘止手段として、キーボード装着用凹部１１の底面、すなわちキーゴム３３の上面の６箇所に拘止ゴム９０を設けているが、本実施例では、このような拘止ゴム９０を廃止し、リバーシブルキーボード５をキーボード装着用凹部１１から取り外す押上手段である前記ポップアップ機構部８（図１９では押上片８３が図示されている）を、拘止ゴム９０の代わりにキーボード装着用凹部１１の底面の６箇所に配置したものである。
【００９３】
また、図２２ないし図２４は、図１１ないし図１５で説明した拘止手段の他の実施例を示している。本実施例では、拘止手段として、キーボード装着用凹部１１の底面、すなわちキーゴム３３の上面の６箇所のうち４箇所に拘止ゴム９０を配置し、残り２箇所にポップアップ機構部８（図２２では押上片８３が図示されている）を配置したものである。
【００９４】
［実施の形態２］
図２５ないし図２７は、本実施の形態２に係わるリバーシブルキーボードを備えた情報処理装置を示しており、図２５は、リバーシブルキーボードを取り外した状態の情報処理装置の外観斜視図、図２６はリバーシブルキーボードを装着した状態の情報処理装置の外観斜視図、図２７は、図２６に示すＥ−Ｅ線に沿う断面図である。ただし、図２５には、取り外した状態のリバーシブルキーボードが、表面側を上に向けた状態と、裏面側を上に向けた状態の２つの状態で示されている。
【００９５】
装置本体１及びリバーシブルキーボード５の基本的な構成は、上記実施の形態１の装置本体１及びリバーシブルキーボード５と同様である。従って、実施の形態１の装置本体及びリバーシブルキーボードと同じ構成部分については同符号を付すこととし、詳細な説明は省略する。
【００９６】
本実施の形態２の情報処理装置と上記実施の形態１の情報処理装置との大きな相違点は、実施の形態１の情報処理装置が、キーボード装着用凹部１１を有していたのに対し、実施の形態２の情報処理装置では、キーボード装着用凹部１１の上部に透明なタッチパネル１４が設けられている点である。そのため、本実施の形態２では、リバーシブルキーボード５をキーボード装着用凹部１１に挿入するためのキーボード挿入口１６を装置本体１の後端部に設けている。すなわち、リバーシブルキーボード５をキーボード挿入口１６から挿入することで、キーボード装着用凹部１１内に装着する構造となっている。
【００９７】
また、リバーシブルキーボード５をキーボード挿入口１６から挿入する構造としたため、上記実施の形態１の情報処理装置では設けられていたポップアップ機構部８や第１検出スイッチ１５が省略されている。
【００９８】
また、第１検出スイッチ１５を省略した代わりに、リバーシブルキーボード５の前端面５ａには、第１検出突起部５７が設けられている。この第１検出突起部５７は、リバーシブルキーボード５がキーボード装着用凹部１１内に装着されたか否かを検出するための突起部であり、前端面５ａの左右方向の中央部に設けられている。
【００９９】
一方、キーボード装着用凹部１１の前端面１１ａの左右方向の中央部には、リバーシブルキーボード５に設けられた第１検出突起部５７が挿入される第１開口部１７が設けられ、この第１開口部１７内に、リバーシブルキーボード５の装着の有無を検出するための第２検出スイッチ１８が設けられている。
【０１００】
これにより、リバーシブルキーボード５が表面側または裏面側のどちらを上に向けてキーボード装着用凹部１１に装着されても、リバーシブルキーボード５の第１検出突起部５７によって第２検出スイッチ１８がオン状態となり、リバーシブルキーボード５の装着の有無が確実に検出されることになる。
【０１０１】
図３０は、上記実施の形態２の情報処理装置の電気的構成を示すブロック図、及びリバーシブルキーボードの機能ブロック図である。
【０１０２】
本実施の形態２の情報処理装置は、図２８に示す実施の形態１の情報処理装置の第１検出スイッチ１５の代わりに第２検出スイッチ１８を設けるとともに、リバーシブルキーボード５に第１検出突起部５７を設けた構成となっている。その他の構成は、上記実施の形態１の情報処理装置の構成と同じであるので、ここで同符号を付すこととし、詳細な説明を省略する。
【０１０３】
また、図３１は、上記構成の情報処理装置において、リバーシブルキーボードを装置本体に装着したときの実行処理を示すフローチャートであるが、ここでの実行処理は、図２９に示す実施の形態１の実行処理とほぼ同様であり、リバーシブルキーボード５の装着の有無を検出する手段が、第１検出スイッチ１５から第２検出スイッチ１８に代わっただけである（ステップＳ３４′参照）。
【０１０４】
【発明の効果】
本発明のリバーシブルキーボードによれば、内部に電気的な構成を持たない簡単な構造によって、表裏両面に異なるキー機能を搭載したリバーシブルキーボードを実現することができる。また、構造が簡易であるため、小型軽量化、製造原価の低減を図ることができる。また、シート状の形状であれば、薄くすることができる。この場合、第１キー手段及び第２キー手段に凸部を設けることで、指によるタッチがし易くなり、操作性が向上する。また、第１キー手段及び第２キー手段を一体的に形成することにより、第１キー手段を押し下げて撓ましたとき、第２キー手段も一体となって撓むので、キー操作を行うときの上下のずれを無くすことができる。
【０１０５】
また、本発明の情報処理装置によれば、操作者の目でリバーシブルキーボードの装着方向を確認して、キー入力切替手段を切り替えればよいので、キー入力による制御機能を確実に切り替えることができる。また、押上手段と第１検出手段とを一体化することができるので、装置の小型化が可能となる。さらに、拘止手段を設けることにより、キーボード収納部に装着されたリバーシブルキーボードのがたつきを確実に防止することができる。この場合、押上手段によって拘止手段を兼ねる構成とすることにより、装置の小型化が可能となる。
【０１０６】
また、本発明の情報処理装置によれば、透明タッチパネルを利用することで、リバーシブルキーボードを構成する部材を板状にすることができ、最も簡単な構造の、かつ安価なリバーシブルキーボードを提供することができる。
【図面の簡単な説明】
【図１】本発明に係わるリバーシブルキーボードを備えた情報処理装置の実施の形態１を示しており、リバーシブルキーボードを取り外した状態の情報処理装置の外観斜視図である。
【図２】リバーシブルキーボードを装着した状態の情報処理装置の外観斜視図である。
【図３】リバーシブルキーボードを取り外した状態の情報処理装置の平面図である。
【図４】図３に示す装置本体のＡ−Ａ線概略断面図である。
【図５】図３に示すリバーシブルキーボード５のＢ−Ｂ線概略断面図である。
【図６】キーボード装着用凹部を一部拡大した、ロック機構部の構造を示す平面図である。
【図７】装置本体を後部を一部拡大して示す側面図である。
【図８】（ａ），（ｂ）は、図６に示すＣ−Ｃ線概略断面図である。
【図９】キーボード装着用凹部を一部拡大した、ホップアップ機構部の構造を示す平面図である。
【図１０】（ａ），（ｂ）は、図９に示すＤ−Ｄ線概略断面図である。
【図１１】リバーシブルキーボードをキーボード装着用凹部に装着するときの動作を示す側面より見た概略断面図である。
【図１２】リバーシブルキーボードをキーボード装着用凹部に装着するときの動作を示す側面より見た概略断面図である。
【図１３】リバーシブルキーボードをキーボード装着用凹部に装着するときの動作を示す側面より見た概略断面図である。
【図１４】リバーシブルキーボードをキーボード装着用凹部に装着するときの動作を示す側面より見た概略断面図である。
【図１５】リバーシブルキーボードがキーボード装着用凹部に装着されたときの、ロック用爪とロック用凹部との係合状態を拡大して示す概略断面図である。
【図１６】リバーシブルキーボードのキーシート部の他の実施例を示す概略断面図である。
【図１７】リバーシブルキーボードのキーシート部のさらに他の実施例を示す概略断面図である。
【図１８】リバーシブルキーボードのキーシート部のさらに他の実施例を示す概略断面図である。
【図１９】押上手段と拘止手段とが兼用された実施例を示しており、リバーシブルキーボードをキーボード装着用凹部から取り外した状態を示す平面図である。
【図２０】押上手段と拘止手段とが兼用された実施例を示しており、リバーシブルキーボードをキーボード装着用凹部に装着するときの動作を示す側面より見た概略断面図である。
【図２１】押上手段と拘止手段とが兼用された実施例を示しており、リバーシブルキーボードをキーボード装着用凹部に装着するときの動作を示す側面より見た概略断面図である。
【図２２】拘止手段を拘止ゴムとホップアップ機構部とで構成した実施例を示しており、リバーシブルキーボードをキーボード装着用凹部から取り外した状態を示す平面図である。
【図２３】拘止手段を拘止ゴムとホップアップ機構部とで構成した実施例を示しており、リバーシブルキーボードをキーボード装着用凹部に装着するときの動作を示す側面より見た概略断面図である。
【図２４】拘止手段を拘止ゴムとホップアップ機構部とで構成した実施例を示しており、リバーシブルキーボードをキーボード装着用凹部に装着した状態を示す側面より見た概略断面図である。
【図２５】実施の形態２に係わるリバーシブルキーボードを備えた情報処理装置を示しており、リバーシブルキーボードを取り外した状態の情報処理装置の外観斜視図である。
【図２６】実施の形態２に係わるリバーシブルキーボードを備えた情報処理装置を示しており、リバーシブルキーボードを装着した状態の情報処理装置の外観斜視図である。
【図２７】図２６に示すＥ−Ｅ線概略断面図である。
【図２８】実施の形態１の情報処理装置の電気的構成を示すブロック図である。
【図２９】実施の形態１の情報処理装置において、リバーシブルキーボードを装置本体に装着したときの処理動作を説明するためのフローチャートである。
【図３０】実施の形態２の情報処理装置の電気的構成を示すブロック図である。
【図３１】実施の形態２の情報処理装置において、リバーシブルキーボードを装置本体に装着したときの処理動作を説明するためのフローチャートである。
【符号の説明】
１　装置本体
１ｂ３　スプリング用受け部
１ｂ４　摺動凹部
２　表示部
３　キー入力部
５　　リバーシブルキーボード
６　ロック機構部
８　ポップアップ機構部
１１　キーボード装着用凹部
１６　キーボード挿入口
１７　開口部
１８　第２検出スイッチ
２２　電池収納部
３１　関数キー
３２　カーソルキー
３３　キーゴム
３４　切替スイッチ
５１ａ　表面側のキーシート部
５１ｂ　裏面側のキーシート部
５２ａ　表面側のキーキャビネット
５２ｂ　裏面側のキーキャビネット
５３ａ　表面側の開口部
５３ｂ　裏面側の開口部
５９　ロック用凹部
６１　ロック本体部
６２　ロック用爪部
６３　スプリング用凹部
６４　ロック解除用ノブ
８１　ポップアップ本体部
８２　当止片
８３　押上片
８４　スプリング用突起片
８５　スプリング
８６　検出用突起部
【図１】
2004118520.tif 000003
【図２】
2004118520.tif 000004
【図３】
2004118520.tif 000005
【図４】
2004118520.tif 000006
【図５】
2004118520.tif 000007
【図６】
2004118520.tif 000008
【図７】
2004118520.tif 000009
【図８】
2004118520.tif 000010
【図９】
2004118520.tif 000011
【図１０】
2004118520.tif 000012
【図１１】
2004118520.tif 000013
【図１２】
2004118520.tif 000014
【図１３】
2004118520.tif 000015
【図１４】
2004118520.tif 000016
【図１５】
2004118520.tif 000017
【図１６】
2004118520.tif 000018
【図１７】
2004118520.tif 000019
【図１８】
2004118520.tif 000020
【図１９】
2004118520.tif 000021
【図２０】
2004118520.tif 000022
【図２１】
2004118520.tif 000023
【図２２】
2004118520.tif 000024
【図２３】
2004118520.tif 000025
【図２４】
2004118520.tif 000026
【図２５】
2004118520.tif 000027
【図２６】
2004118520.tif 000028
【図２７】
2004118520.tif 000029
【図２８】
2004118520.tif 000030
【図２９】
2004118520.tif 000031
【図３０】
2004118520.tif 000032
【図３１】
2004118520.tif 000033